(57)【特許請求の範囲】
【請求項１】
金融商品の取引に関する情報を画像表示する表示手段と、該表示手段を押圧することで前記表示手段に表示された前記情報を操作する操作手段とを備えた金融商品取引システムであって、
前記表示手段に表示された、一のパラメータを前記金融商品の価格とするチャートに、上限価格と下限価格とを有する任意の発注価格帯を指定する価格帯特定手段と、
該価格帯特定手段によって特定された前記発注価格帯に、任意の発注条件に基づいて金融商品の指値注文を発注するための注文情報を複数生成する注文発注手段とを備え、
前記操作手段は、前記チャートが表示された前記表示手段に外部から接触物が接触したときに、前記注文発注手段に対し、前記接触物が接触した箇所に対応する価格情報を取得させ、
さらに前記操作手段は、複数の前記接触物が前記表示手段の複数箇所にそれぞれ接触したときに、前記注文発注手段に対し、前記表示手段における上側の接触位置に対応して表示された前記価格情報に基づいて上限価格を設定すると共に前記表示手段における下側の接触位置に対応して表示された前記価格情報に基づいて下限価格とを設定させると共に、前記注文発注手段に対し、前記上限価格と前記下限価格との間に形成された前記発注価格帯において前記注文情報を発注させることを特徴とする金融商品取引システム。
【請求項２】
前記発注された前記注文情報の状態を監視し、該状態に応じた前記表示手段への前記注文情報の表示態様を管理する表示態様管理手段を備え、
前記表示態様管理手段は、発注された前記注文情報の価格毎のポジションの大きさに応じて視覚態様を変化させて表示させることを特徴とする請求項１に記載の金融商品取引システム。
【請求項３】
前記表示態様管理手段は、前記注文情報を任意の色で前記チャート上に表示すると共に、前記注文情報の価格毎の前記ポジションの大きさに応じて前記色の濃度を変えて表示させることを特徴とする請求項２に記載の金融商品取引システム。
【請求項４】
前記表示態様管理手段は、前記注文情報を任意の形状の記号で前記チャート上に表示すると共に、前記注文情報の価格毎の前記ポジションの大きさ及び前記ポジションの数のうち少なくとも何れか一方に応じて、前記記号の形状及び大きさのうち少なくとも何れか一方を変えて表示させることを特徴とする請求項２又は３に記載の金融商品取引システム。
【請求項５】
前記表示態様管理手段は、発注後未約定の前記注文情報と発注後約定済の前記注文情報について、前記注文情報を表示する色及び形状のうち少なくとも何れか一方を変えて表示させることを特徴とする請求項２乃至４の何れか一つに記載の金融商品取引システム。
【請求項６】
前記表示手段及び前記操作手段は、タッチパネルとして構成されたことを特徴とする請求項１乃至５の何れか一つに記載の金融商品取引システム。
【請求項７】
前記注文発注手段は、前記任意の発注条件として、前記金融商品の注文個数情報を備え、前記発注価格帯において、前記注文個数情報に基づく複数の前記注文情報を、それぞれの価格差が均等な指値注文を発注するように生成することを特徴とする請求項１乃至６の何れか一つに記載の金融商品取引システム。
【請求項８】
前記注文発注手段は、前記任意の発注条件として、前記注文情報を、前記金融商品について買い注文または売り注文のうち一方を第一注文価格で発注するための第一注文、及び、前記買い注文または前記売り注文のうち他方を第二注文価格で発注するための第二注文からなる注文情報群を繰り返し生成することを特徴とする請求項１乃至６の何れか一つに記載の金融商品取引システム。
【請求項９】
前記注文発注手段は、前記任意の発注条件として、前記注文情報を、前記金融商品について買い注文または売り注文のうち一方を第一注文価格で発注するための第一注文、及び、前記買い注文または前記売り注文のうち他方を第二注文価格で発注するための第二注文からなる注文情報群を繰り返し生成し、
前記注文発注手段は、前記任意の発注条件として、前記金融商品の注文個数情報を備え、前記注文情報群を、それぞれの前記第一注文同士の価格差、及びそれぞれの前記第二注文同士の価格差がそれぞれ均等になるように、前記注文個数情報に基づいて複数生成することを繰り返すことを特徴とする請求項１乃至６の何れか一つに記載の金融商品取引システム。
【請求項１０】
前記注文発注手段は、前記注文情報として、前記金融商品について、買い注文又は売り注文のうちの一方を、第三注文価格の逆指値注文で行うための第三注文を生成することを特徴とする請求項１乃至６の何れか一つに記載の金融商品取引システム。
【請求項１１】
前記金融商品の相場価格の情報を取得する相場情報取得手段と、
前記金融商品の相場価格と価格が一致した前記注文情報を未約定の状態から約定済の状態に変換する約定手段とを備え、
該約定手段は、同一の前記注文情報群が複数回生成される場合、先の前記注文情報群における前記第一注文及び前記第二注文の約定の順序と、後の前記注文情報群における前記第一注文及び前記第二注文の約定の順序とを逆に行うことを特徴とする請求項８に記載の金融商品取引システム。
【請求項１２】
コンピュータを請求項１乃至１１の何れか一つに記載の金融商品取引システムとして機能させることを特徴とするプログラム。
【発明の詳細な説明】
【技術分野】
【０００１】
本発明は、外国為替等、金融商品の取引を発注させる技術、及び表示させる技術に関する。
【背景技術】
【０００２】
外国為替等の金融商品の取引方法として、注文時の価格で取引を行う成行注文の他に、指値注文が知られている。この指値注文とは、予めユーザから売買価格の指定を受ける注文形態であり、金融商品の取扱業者は対象となる金融商品が指定された価格まで下落したときに当該金融商品の買い注文を行い、指定された価格まで上昇したときに当該金融商品の売り注文を行う。従来、この金融商品の指値注文をコンピュータシステムを用いて行う発明が知られている（例えば、特許文献１参照）。一方、金融商品の指値注文においては、同時に複数の指値注文を発注するシステム（例えば特許文献２参照）や、イフダンオーダー（順位のある２つの注文を同時に出し、第一順位の注文が成立したら、自動的に第二順位の注文が有効になる注文形式のこと。本明細書において同じ。）が行われることも多い。そして、複数のイフダンオーダーを自動的に行うシステムが知られている（例えば、特許文献３参照）。
【先行技術文献】
【特許文献】
【０００３】
【特許文献１】特開２００６−９９７８７号公報
【特許文献２】特開２００２−３１８９１１号公報
【特許文献３】特開２００８−１３０００２号公報
【発明の概要】
【発明が解決しようとする課題】
【０００４】
しかし、引用文献１においては、複数の指値注文を発注する際に指値注文を個別に行わねばならず、指値注文を行うユーザにとって注文の操作が煩雑になるという問題がある。また、引用文献２及び引用文献３に記載の発明においては、指値注文を発注する際、コンピュータ端末のマウスやキーボード等により、数値を入力することで指値注文を発注しなければならず、指値注文を行うユーザにとって注文時の入力作業に要する労力が過大になるという問題がある。
【０００５】
本発明は上記の問題に鑑みてなされたものであり、金融商品の指値注文において、システムを利用するユーザが煩雑な入力作業を行うことなく、複数の指値注文を簡易な操作で発注できて、ユーザに利便性の高い指値注文を行わせることのできる金融商品取引システムを提供することを課題としている。
【課題を解決するための手段】
【０００６】
かかる課題を解決するため、請求項１に記載の発明は、金融商品の取引に関する情報を画像表示する表示手段と、該表示手段を押圧することで前記表示手段に表示された前記情報を操作する操作手段とを備えた金融商品取引システムであって、前記表示手段に表示された、一のパラメータを前記金融商品の価格とするチャートに、上限価格と下限価格とを有する任意の発注価格帯を指定する価格帯特定手段と、該価格帯特定手段によって特定された前記発注価格帯に、任意の発注条件に基づいて金融商品の指値注文を発注するための注文情報を複数生成する注文発注手段とを備え、前記操作手段は、前記チャートが表示された前記表示手段に外部から接触物が接触したときに、前記注文発注手段に対し、前記接触物が接触した箇所に対応する価格情報を取得させ、さらに前記操作手段は、複数の前記接触物が前記表示手段の複数箇所にそれぞれ接触したときに、前記注文発注手段に対し、前記表示手段における上側の接触位置に対応して表示された前記価格情報に基づいて上限価格を設定すると共に前記表示手段における下側の接触位置に対応して表示された前記価格情報に基づいて下限価格とを設定させると共に、前記注文発注手段に対し、前記上限価格と前記下限価格との間に形成された前記発注価格帯において前記注文情報を発注させることを特徴とする。
【０００７】
請求項２に記載の発明は、請求項１に記載の構成に加え、前記発注された前記注文情報の状態を監視し、該状態に応じた前記表示手段への前記注文情報の表示態様を管理する表示態様管理手段を備え、前記表示態様管理手段は、発注された前記注文情報の価格毎のポジションの大きさに応じて視覚態様を変化させて表示させることを特徴とする。
【０００８】
請求項３に記載の発明は、請求項２に記載の構成に加え、前記表示態様管理手段は、前記注文情報を任意の色で前記チャート上に表示すると共に、前記注文情報の価格毎の前記ポジションの大きさに応じて前記色の濃度を変えて表示させることを特徴とする。
【０００９】
請求項４に記載の発明は、請求項２又は３に記載の構成に加え、前記表示態様管理手段は、前記注文情報を任意の形状の記号で前記チャート上に表示すると共に、前記注文情報の価格毎の前記ポジションの大きさに応じて前記記号の形状及び大きさのうち少なくとも何れか一方を変えて表示させることを特徴とする。
【００１０】
請求項５に記載の発明は、請求項２乃至４の何れか一つに記載の構成に加え、前記表示態様管理手段は、発注後未約定の前記注文情報と発注後約定済の前記注文情報について、前記注文情報を表示する色及び形状のうち少なくとも何れか一方を変えて表示させることを特徴とする。
【００１１】
請求項６に記載の発明は、請求項１乃至５の何れか一つに記載の構成に加え、前記表示手段及び前記操作手段は、タッチパネルとして構成されたことを特徴とする。
【００１２】
請求項７に記載の発明は、請求項１乃至６の何れか一つに記載の構成に加え、前記注文発注手段は、前記任意の発注条件として、前記金融商品の注文個数情報を備え、前記発注価格帯において、前記注文個数情報に基づく複数の前記注文情報を、それぞれの価格差が均等な指値注文を発注するように生成することを特徴とする。
【００１３】
請求項８に記載の発明は、請求項１乃至６の何れか一つに記載の構成に加え、前記注文発注手段は、前記任意の発注条件として、前記注文情報を、前記金融商品について買い注文または売り注文のうち一方を第一注文価格で発注するための第一注文、及び、前記買い注文または前記売り注文のうち他方を第二注文価格で発注するための第二注文とし、前記第一注文情報及び前記第二注文からなる注文情報群を繰り返し生成することを特徴とする。
【００１４】
請求項９に記載の発明は、請求項１乃至６の何れか一つに記載の構成に加え、前記注文発注手段は、前記任意の発注条件として、前記注文情報を、前記金融商品について買い注文または売り注文のうち一方を第一注文価格で発注するための第一注文、及び、前記買い注文または前記売り注文のうち他方を第二注文価格で発注するための第二注文とし、前記第一注文情報及び前記第二注文からなる注文情報群を繰り返し生成し、前記注文発注手段は、前記任意の発注条件として、前記金融商品の注文個数情報を備え、前記注文情報群を、それぞれの前記第一注文同士の価格差、及びそれぞれの前記第二注文同士の価格差がそれぞれ均等になるように、前記注文個数情報に基づいて複数生成することを繰り返すことを特徴とする。
【００１５】
請求項１０に記載の発明は、請求項１乃至６の何れか一つに記載の構成に加え、前記注文発注手段は、前記注文情報として、前記金融商品について、買い注文又は売り注文のうちの一方を、第三注文価格の逆指値注文で行うための第三注文を生成することを特徴とする。
【００１６】
請求項１１に記載の発明は、請求項８の何れか一つに記載の構成に加え、前記金融商品の相場価格の情報を取得する相場情報取得手段と、前記金融商品の相場価格と価格が一致した前記注文情報を未約定の状態から約定済の状態に変換する約定手段とを備え、該約定手段は、同一の前記第一注文及び前記第二注文が複数回生成される場合、先の前記第一注文及び前記第二注文の約定の順序と、後の前記第一注文及び前記第二注文の約定の順序とを逆に行うことを特徴とする。
【００１８】
請求項１２に記載の発明は、プログラムであって、コンピュータを請求項１乃至１１の何れか一つに記載の金融商品取引システムとして機能させることを特徴とする。
【発明の効果】
【００１９】
請求項１に記載の発明によれば、操作手段は、チャートが表示された表示手段に外部から接触物が接触したときに、注文発注手段に対し、前記接触物が接触した箇所に対応する価格情報を取得させることにより、ユーザに対し、表示手段に表示されたチャートにおける任意の価格上に指などの接触物を接触させることで、指値注文を行う上限価格と下限価格を感覚的に特定することができる。また、操作手段は、接触物が表示手段の複数箇所にそれぞれ接触したときに、注文発注手段に対し、上限価格及び下限価格とを設定させると共に、注文発注手段に対し、上限価格と下限価格との間に形成された発注価格帯において注文情報を発注させることにより、ユーザに対し、特定された上限価格と下限価格との間に形成された発注価格帯に、複数の注文情報を自動的に発注させることができる。これにより、金融商品の指値注文において、システムを利用するユーザが煩雑な入力作業を行うことなく、複数の指値注文を簡易な操作で発注できて、ユーザに利便性の高い指値注文を行わせることができる。
【００２０】
請求項２に記載の発明によれば、発注された注文情報の価格毎のポジションの大きさに応じて視覚態様を変化させて表示させることにより、ユーザに対し、価格毎のポジションを視覚的感覚的に容易に把握させることができ、指値注文を行うユーザの利便性を一層高めることができる。
【００２１】
請求項３に記載の発明によれば、注文情報の価格毎のポジションの大きさを色の濃度によって表示できるので、ユーザに対し、価格毎のポジションを視覚的感覚的に容易に把握させることができ、指値注文を行うユーザの利便性を一層高めることができる。
【００２２】
請求項４に記載の発明によれば、注文情報の価格毎のポジションの大きさを記号の形状及び大きさのうち少なくとも一方によって表示できるので、ユーザに対し、価格毎のポジションを視覚的感覚的に容易に把握させることができ、指値注文を行うユーザの利便性を一層高めることができる。
【００２３】
請求項５に記載の発明によれば、発注後未約定の指値注文と発注後約定済の指値注文とを色及び形状のうち少なくとも何れか一方によって表示できるので、ユーザに対し、未約定の指値注文と約定済の指値注文とを視覚的感覚的に容易に把握させることができ、指値注文を行うユーザの利便性を一層高めることができる。
【００２４】
請求項６に記載の発明によれば、タッチパネルを備えた機器において、指値注文を行うユーザの利便性を一層高めることができる。
【００２５】
請求項７に記載の発明によれば、設定した発注価格帯内において、同一種類の金融商品の指値注文を同時に複数、均等な価格差で発注することができるため、ユーザに対し、リスク回避をしつつ利便性の高い指値注文の取り引きを容易に行わせる装置を提供できる。
【００２６】
請求項８に記載の発明によれば、設定した発注価格帯内において、同一種類の金融商品のイフダン注文による指値注文を繰り返し行うことができるので、ユーザに対し、イフダン注文による指値注文の取り引きを容易に行わせる装置を提供できる。
【００２７】
請求項９に記載の発明によれば、設定した発注価格帯に基づいて、それぞれ均等な価格差で複数発注した第一注文と第二注文に基づくイフダン注文を繰り返し行うことができるので、ユーザに対し、リスク回避をしつつイフダン注文による指値注文の取り引きを容易に行わせる装置を提供できる。
【００２８】
請求項１０に記載の発明によれば、第一注文及び第二注文が発注時の金融商品の相場価格以下の価格又は発注時の金融商品の相場価格よりも上の価格である場合において、指値注文のリスクを回避しつつ収益機会を十分に活用して合理的な取引を行うことができる。これにより、ユーザに対し、指値注文によるリスクを確実に回避できる装置を提供できる。
【００２９】
請求項１１に記載の発明によれば、金融商品の相場価格と価格が一致した注文情報を未約定の状態から約定済の状態に変換させることにより、指値注文の約定をシステム構成として実現し、ユーザにとって利便性の高い指値注文による取引を確実に実現できる。また、注文情報群を構成する第一注文及び第二注文と約定が逆の順番に約定されることにより、複数の注文情報群を逐次約定する際に第一注文及び第二注文が一対づつ約定されることになり、ユーザは約定する際に一の注文情報だけが約定される場合よりも高い収益を得ることができる。これにより、ユーザに対し、煩雑な注文手続を行わせることなく、リスクを回避しつつ収益機会を十分に活用して合理的な取引を行わせる装置を提供できる。
【００３１】
請求項１２に記載の発明によれば、本発明の金融商品取引システムをプログラム化し、多様なコンピュータハードウェア上で実現させることができる。
【図面の簡単な説明】
【００３２】
【図１】この実施の形態の金融商品取引システムにおけるシステム構成図及び中央管理装置、注文発注装置の機能ブロック図である。
【図２】同上注文発注装置の機能ブロック図である。
【図３】同上中央管理装置の注文テーブルのフィールド定義の模式図である。
【図４】同上金融商品取引システムにおける、第一形態注文、第二形態注文の処理手順を示すフローチャートである。
【図５】同上注文発注装置のタッチパネルに発注フロントページが表示された状態のイメージ図である。
【図６】同上注文発注装置のタッチパネルにチャート表示画面が表示された状態のイメージ図である。
【図７】同上チャート表示画面に上限価格調整部、下限価格調整部、第一形態注文発注ボタン、第二形態注文発注ボタンが表示された状態を示すイメージ図である。
【図８】同上注文発注装置のタッチパネルに第一形態注文入力画面が表示された状態のイメージ図である。
【図９】同上注文発注装置のタッチパネルに注文内容確認画面が表示された状態のイメージ図である。
【図１０】同上注文発注装置のタッチパネルに状態表示画面が表示された状態を示すイメージ図である。
【図１１】同上中央管理装置の注文情報生成部によって生成されて注文テーブルに記録された、注文情報群を模式的に示す図である。
【図１２Ａ】同上中央管理装置がらくトラ注文に基づく指値注文を処理する手順を示すフローチャートである。
【図１２Ｂ】同上中央管理装置がらくトラ注文に基づく指値注文を処理する手順を示すフローチャートである。
【図１３】同上中央管理装置がらくトラ注文に基づく指値注文の約定処理を行う際の手順を示す概念図である。
【図１４】同上注文発注装置のタッチパネルに発注状態表示画面が表示された状態を示すイメージ図である。
【図１５】同上注文発注装置のタッチパネルに成立履歴表示画面が表示された状態を示すイメージ図である。
【図１６】同上注文発注装置のタッチパネルに第二形態注文入力画面が表示された状態のイメージ図である。
【図１７】同上中央管理装置に形成される注文情報群、及びそれを構成する注文情報を模式的に示す図である。
【図１８】同上金融商品取引システムにおける、第二形態注文の処理手順を示すフローチャートである。
【図１９】同上金融商品取引システムにおける、第二形態注文による発注を模式的に表したタイムチャートである。
【発明を実施するための形態】
【００３３】
以下、この発明の一の実施の形態について図面を参照して説明する。
【００３４】
［システム構成概要］
図１は、この実施の形態の金融商品取引システムのシステム構成図及び機能ブロック図である。同図に示すとおり、金融商品取引システム１Ａは、中央管理装置１と、ｎ個（ｎ≧１）の注文発注装置２１〜２ｎとを備えている。中央管理装置１と注文発注装置２１〜２ｎは、ＷＡＮ（Wide Area Network）としてのインターネット３を介して相互に交信可能である。この実施の形態の金融商品取引システム１Ａは、金融商品として外国為替を取扱う。
【００３５】
中央管理装置１は、金融商品の取扱業者が管理し運用するサーバコンピュータであり、金融商品の売買取引を管理する。中央管理装置１は、Ｗｅｂサーバ機能、大容量のデータを保存するデータベース機能を備えている。注文発注装置２１，・・・，２ｎは、金融商品の売買を行う個人又は法人（つまり金融商品取引システム１Ａのユーザ）が所持し使用する、データ通信機能を有する通信端末であって、パーソナルコンピュータ、タブレット、スマートフォン、携帯電話端末等がこれに該当する。注文発注装置２１，・・・，２ｎは、タッチパネル２１１，・・・，２１ｎを有する。即ち、このタッチパネル２１１，・・・，２１ｎは、ＬＣＤ（Liquid Crystal Display）等からなり各種の画像表示をする表示部２２１，・・・，２２ｎ、表示部２２１，・・・，２２ｎ上への押圧によって行われたユーザからの各種指示（例えば指やタッチペン等の接触物によって押圧された表示部２２１，・・・，２２ｎ上の押圧位置や移動方向を認識することで取得された各種指示）を、座標位置の認識やベクトル処理によって注文発注装置２１，・・・，２ｎに各種処理を行わせる操作部２３１，・・・，２３ｎを有している。
【００３６】
この実施の形態のタッチパネル２１１，・・・，２１ｎは、ユーザが指で表面に接触したり接触させた指を移動させたりすることで各種操作を行うが、これに限らず、タッチペン式のもの等であってもよい。また、接触式のタッチパネル２１１，・・・，２１ｎに替えて、赤外線や電磁気等で外部物体の近接状態や移動を検知して各種操作を行う非接触式ポインティングデバイスを用いてもよい。
【００３７】
図１には図示しないが、中央管理装置１、及びそれぞれの注文発注装置２１，・・・，２ｎはそれぞれ少なくとも１のＣＰＵ（Central Processing Unit、中央処理装置）、及び、ＣＰＵの作業領域として機能するＲＡＭ（Random Access Memory）、起動用ブートプログラム等が記録されたＲＯＭ（Read Only Memory）、各種プログラムやデータ等が記録されるハードディスク等の補助記憶装置、データの送受信に用いる通信インターフェース等が設けられている。補助記憶装置には、ＯＳ（Operating System）用プログラム、各種アプリケーションプログラム、データベースに記録されたデータ等が記録されている。これらのプログラムやデータはＣＰＵの演算処理により、ハードウェア資源と協働して各種機能を実現する。
【００３８】
なお、中央管理装置１は、１のサーバコンピュータによって形成されていても、複数のネットワークコンピュータシステムによって形成されていてもよい。
【００３９】
［注文発注装置のシステム構成詳細］
図２は、この実施の形態の注文発注装置２１，・・・，２ｎの機能ブロック図である。同図に示す通り、注文発注装置２１，・・・，２ｎは、上述した各種プログラムとハードウェア資源とに基づいて実現される機能手段としての「価格帯特定手段」としての価格帯特定部２４１，・・・，２４ｎ、「注文発注手段」としての注文発注部２５１，・・・，２５ｎ、「表示態様管理手段」としての表示態様管理部２６１，・・・，２６ｎを備えている。
【００４０】
価格帯特定部２４１，・・・，２４ｎは、タッチパネル２１１，・・・，２１ｎに表示された、一のパラメータを金融商品の価格とするチャートに、上限価格と下限価格とを有する任意の発注価格帯を指定する。なお、この「発注価格帯」とは、任意の金融商品を複数発注する際の発注可能な価格帯のことである（以下単に「発注価格帯」と称する。本明細書において同じ。）
注文発注部２５１，・・・，２５ｎは、価格帯特定部２４１，・・・，２４ｎによって特定された発注価格帯に、任意の発注条件に基づいて金融商品の指値注文を発注するための注文情報を複数生成する。注文発注部２５１，・・・，２５ｎは、指値注文、成行注文いずれの注文発注も行う。
【００４１】
表示態様管理部２６１，・・・，２６ｎは、発注された注文情報の状態を監視し、状態に応じたタッチパネル２１１，・・・，２１ｎへの注文情報の表示態様を管理する。
【００４２】
なお、注文発注装置２１，・・・，２ｎ、タッチパネル２１１，・・・，２１ｎ、表示部２２１，・・・，２２ｎ、操作部２３１，・・・，２３ｎは、価格帯特定部２４１，・・・，２４ｎ、注文発注部２５１，・・・，２５ｎ、表示態様管理部２６１，・・・，２６ｎは同じ構成を持つので、以下、区別する必要がある場合を除き、注文発注装置２、タッチパネル２１、表示部２２、操作部２３、価格帯特定部２４、注文発注部２５、表示態様管理部２６とする。
【００４３】
［中央管理装置のシステム構成詳細］
図１に示す通り、中央管理装置１は、上述した各種プログラムとハードウェア資源とに基づいて実現される機能手段としてのデータ処理部１０、及び、データ処理部１０にて処理される各種データが記録されるデータベース１８を有する。データ処理部１０は中央管理装置１において用いる各種データの生成、加工等の処理を行うものであり、更に、同じく機能手段としてのフロントページ配信部１１、注文入力受付部（注文入力受付手段）１２、入出金情報生成部１３、約定情報生成部（約定情報生成手段、記録管理手段）１４、口座情報生成部１５、注文情報生成部（注文情報生成手段）１６、データベース（ＤＢ）接続基底部１７、価格情報受信部（相場情報取得手段）１９を有している。
【００４４】
注文入力受付部１２は、注文発注装置２から入力された各種の注文に関するデータを受け付け、金融商品の注文を成立させるために必要な各種処理を行う。
【００４５】
入出金情報生成部１３は、注文発注装置２から入出金のリクエストを受け付け、リクエストに基づいて入出金の一覧表を作成する。
【００４６】
注文情報生成部１６は、注文入力受付部１２が処理した情報に基づいて、成立した金融商品の注文に関する情報を生成する。ここでの注文には、いわゆる成行注文、指値注文に加え、イフダン注文も含まれる。
【００４７】
なお、この実施の形態の中央管理装置１は新規注文にのみイフダン注文を適用するものとし、システム構成の簡素化、並びにユーザにとって利用し易いシステムの形成を図っている。従って、注文情報生成部１６は、新規注文のみの注文情報を生成するものとして構成されている。
【００４８】
約定情報生成部１４は、注文情報生成部１６が生成した注文に基づく約定処理、及び、完了した約定処理に関する情報をユーザの注文発注装置２に送るための処理を行う。なお、ここでの「約定」とは、ユーザの注文に基づいて金融商品の売買を成立されるための各種の手続並びに処理のことをいう。更に、約定情報生成部１４は、注文情報生成部１６が生成した注文情報をデータベース１８に記録すると共にデータベース１８における注文情報の記録状態を管理する。
【００４９】
口座情報生成部１５は、ユーザの預金残高情報を生成し、当該預金残高情報を証拠金情報（即ち、注文の約定を実現できることを裏付けるための情報）として管理する機能を有する。なお、口座情報生成部１５において生成される預金残高に関する情報は、現実の預金残高と整合性を取るために、銀行等の金融機関が提供する、ユーザの現実の預金残高に関する情報と定期的に照合される。
【００５０】
データベース接続基底部１７は、データ処理部１０において生成、加工処理されたデータとデータベース１８にて記録されるデータとの変換を行うと共に、データ処理部１０とデータベース１８との間でデータを交信するために必要な処理を行う。
【００５１】
データベース１８は、中央管理装置１にて用いられるデータを記録する。この実施の形態におけるデータベース１８はリレーショナルデータベースによって形成するが、例えばオブジェクトデータベース等、大量のデータの記録や書換えに適したものであればどのような形式を用いてもよい。データベース１８には、注文テーブル（注文情報記録手段）１８１、ユーザ口座情報テーブル１８２、通貨ペア注文条件テーブル１８３、シーケンス番号テーブル１８４が記録されている。シーケンス番号テーブル１８４には注文情報（後述）ごとに一意に付されるシーケンス番号が記録される。注文テーブル１８１の詳細については後述する。
【００５２】
フロントページ配信部１１は、画像データを作成し、作成した画像データを注文発注装置２の表示部２２に表示させる。
【００５３】
価格情報受信部１９は、中央管理装置１にて扱う金融商品の相場価格の情報（相場情報）を取得し、取得した情報に対し、データ処理部１０や注文発注装置２にて用いるために必要な処理を行う。この実施の形態においては、価格情報受信部１９は外為の相場価格の情報を取得する。
【００５４】
中央管理装置１におけるデータ処理部１０、データベース１８、フロントページ配信部１１、注文入力受付部（注文入力受付手段）１２、入出金情報生成部１３、約定情報生成部１４、口座情報生成部１５、注文情報生成部１６、データベース接続基底部１７、価格情報受信部１９は、どのような形で構成されていてもよい。例えば、中央管理装置１が複数のサーバコンピュータからなるネットワークコンピュータシステムとして形成されている場合、各構成要件が複数のサーバコンピュータに分散して配設されていてもよい。また、それらのサーバコンピュータは、複数の業者、サーバ管理者がそれぞれ所有するコンピュータシステム（例えば金融証券取引所、他の金融商品取引管理業者、プロバイダ、ホスティングシステム提供業社等が所持又は管理するコンピュータシステム）に跨って配設されていてもよい。サーバコンピュータは、いわゆるクラウド・コンピュータシステムとして形成されてもよい。更に、データ処理部１０、データベース１８、フロントページ配信部１１、注文入力受付部（注文入力受付手段）１２、入出金情報生成部１３、約定情報生成部１４、口座情報生成部１５、注文情報生成部１６、データベース接続基底部１７、価格情報受信部１９のうち少なくとも一部の構成が、中央管理装置１ではなく、注文発注装置２に設けられていてもよい。
【００５５】
図３は注文テーブル１８１のフィールド定義の模式図である。注文テーブル１８１は項目数分のフィールドを有する。各フィールドには、名称（フィールド名）、文字や数値や日時等のデータ型（型）、ビット長等のデータ長（長さ）、空欄不可指定（Not Null）、デフォルト値の有無（デフォルト値）、データの項目名（備考）等が規定される。
【００５６】
上述の金融商品取引システム１Ａにおいては、金融商品の指値取引が行われる際、一の予約注文によって、同一種類の複数の金融商品の指値注文を同時に複数発注することができる。
【００５７】
［第一形態注文（らくトラ注文）の発注手順］
次に、この実施の形態の金融商品取引システム１Ａにおける指値注文の取引手順について説明する。
【００５８】
図４は、この実施の形態の中央管理装置１における、指値注文の注文情報を生成させる際の処理手順を示すフローチャートである。以下、同図に基づいて注文時の処理手順を説明する。
【００５９】
［発注モードをオン（ステップＳ１）］
金融商品取引システム１Ａを利用するユーザは、注文発注装置２を用いて中央管理装置１にアクセスする。中央管理装置１は、注文発注装置２のタッチパネル２１に発注フロントページを表示させる。
【００６０】
図５は、タッチパネル２１に発注フロントページ３１が表示された状態のイメージ図である。ユーザは、タッチパネル２１に表示された発注フロントページ３１のログインボタン３１１をタップしてログイン画面（図示せず）をタッチパネルに表示させ、ログインする。
【００６１】
ログイン後、ユーザは、発注モードボタン３１２をスワイプして発注モードをオフからオン（図４に示した状態）とする（ステップＳ１）。注文発注装置２は、発注モードボタン３１２がオンのときは、金融商品の発注以外のチャート操作をロック状態としてユーザが操作できない状態にし、誤操作を防止させる。
【００６２】
［通貨ペアの選択（ステップＳ２）］
ユーザがタッチパネル２１に表示された発注フロントページ３１のレート選択ボタン３１３をタップすると、タッチパネル２１には通貨ペア選択画面（図示せず）が表示される。通貨ペア選択画面（図示せず）には取引可能な通貨ペアの選択ボタンが取引可能な通貨ペアを選択するための選択ボタン（図示せず）が複数表示される。ユーザが取引を希望する通貨ペア（例えば米国ドル／日本円）の選択ボタン（図示せず）をタップすると、選択された通貨ペアが取引可能になる（ステップＳ２）。
【００６３】
［チャートの表示］
通貨ペアが選択された後、通貨ペア選択画面（図示せず）には、図５に示す発注フロントページ３１のチャートボタン３１４と機能が同じチャートボタンが表示される。このチャートボタン（図示せず）をタップすると、タッチパネル２１にはチャート表示画面が表示される。なお、フロントページ３１のチャートボタン３１４をタップしても同じチャート表示画面が表示される。
【００６４】
図６は、タッチパネル２１にチャート表示画面３２が表示された状態のイメージ図である。同図に示す通り、チャート表示画面３２には縦軸方向のパラメータが選択された通貨ペア（この場合は米国ドル／日本円）の価格、横軸方向のパラメータが時間である、ローソク足チャートが表示されている。通貨ペア選択画面表示ボタン３２１上には、選択された通貨ペア（米国ドル／日本円）が表示される。また、チャート表示画面３２には、ユーザが選択した通貨ペアについて、価格情報受信部１９が取得した、所定期間内の相場価格の変動を示すローソク足３２２で表示される。図６においては、タッチパネル２１上のチャート表示画面３２に、米国ドル／日本円のローソク足３２２が表示されている。但し、このときチャート表示画面３２に表示されるチャート３２２は、折れ線足チャート、バーチャート等、どのようなチャートであってもよい。
【００６５】
［注文価格帯設定（ステップＳ３）］
上述した通り、発注モードボタン３１２（図１参照）がオンになった状態において、ユーザはチャート表示画面３２で発注以外の操作は行えない。この状態で、ユーザがタッチパネル上のチャート表示画面３２の任意の箇所を指１００でタッチパネル２１の特定箇所にタッチする。タッチパネル２１が、ユーザによってタッチパネル２１の特定箇所にタッチされたことを感知すると、タッチパネル２１上のタッチされた位置座標を取得し、この座標情報を価格帯特定部２４に送る。価格帯特定部２４は、当該位置座標に対応する価格情報（タッチされた場所に表示されたチャートの縦軸方向の位置情報）を取得する。表示態様管理部２６は、タッチパネル２１の指１００でタッチされた場所に価格表示線をイメージ表示し、価格表示欄に価格を数値で表示させる。
【００６６】
図６に示すように、ユーザが２本の指１００でチャート表示画面３２の異なる箇所にタッチすると、タッチされた２箇所のうち、上側の接触位置に対応する上限価格表示線３２３ａ、下側の接触位置に対応する下限価格表示線３２３ｂをそれぞれ表示させると共に、それぞれの価格表示線３２３ａ，３２３ｂ上に上限価格表示欄３２４ａ、下限価格表示欄３２４ｂが表示される。
【００６７】
上限価格表示線３２３ａ、下限価格表示線３２３ｂ、及び上限価格表示欄３２４ａ、下限価格表示欄３２４ｂで表示された上限価格と下限価格とは、後述する注文形態において発注価格帯の上限価格と下限価格となる。これにより、発注価格帯が設定される（ステップＳ３）。
【００６８】
上限価格表示線３２３ａ及び下限価格表示線３２３ｂは、成行表示部３２５に表示されている現在の相場価格（成行価格）よりも高値側、安値側のいずれに表示されてもよいし、成行価格の高値側と安値側にまたがって表示されてもよい。
【００６９】
ユーザの両方の指１００がチャート表示画面３２から離れたことをタッチパネル２１が検知すると、表示態様管理部２６は、チャート表示画面３２に上限価格操作部、下限価格操作部、発注ボタンを表示させる。
【００７０】
図７は、タッチパネル２１のチャート表示画面３２に上限価格調整部３２６ａ、下限価格調整部３２６ｂ、第一形態注文発注ボタン３２７、第二形態注文発注ボタン３２８が表示された状態を示すイメージ図である。同図に示す通り、上限価格調整部３２６ａ、下限価格調整部３２６ｂには、それぞれ価格調整ボタン（「＋」が表示された価格上昇ボタンと「−」が表示された価格下降ボタン）が表示され、それらのボタンをタップすることで上限価格と下限価格とを調整する。
【００７１】
なお図７には図示しないが、第一形態注文発注ボタン３２７を二つ以上設け、それぞれの第一形態注文発注ボタンで、指定した同一の発注価格帯内において、一方の第一形態注文発注ボタンで、第一注文が買い新規注文（第二注文が売り決済注文）である注文を選択し、他方の第一形態注文発注ボタンで、第一注文が売り新規注文（第二注文が買い決済注文）である注文を選択可能にすることができる。
【００７２】
［注文種別選択（ステップＳ４）］
図７に示すように、ユーザがチャート表示画面３２の第一形態注文発注ボタン３２７をタップすると、タッチパネル２１に第一形態注文入力画面が表示される（ステップＳ４）。
【００７３】
［注文種別ごとの詳細設定（ステップＳ５）］
図８は、タッチパネル２１に第一形態注文入力画面３３が表示された状態のイメージ図である。
【００７４】
第一形態注文においては、複数のイフダン注文が同時に発注されるが、そのイフダン注文の第一注文（新規注文）同士、及び第二注文（決済注文）同士がすべて均等な価格差であり、それぞれの価格のポジションが等しい状態で発注され、それぞれのイフダン注文は新規注文と決済注文とがそれぞれ約定すると、新たに同じ新規注文と決済注文とがそれぞれ発注されることを繰り返す（以下、この注文形態を「トラップリピートイフダン注文」と称する。）。この実施の形態においては、トラップリピートイフダン注文の全ての第一注文（新規注文）が発注価格帯内において発注されるように構成されている（即ち、第二注文が発注価格帯において発注されているか否かの確認は行わない）（以下、この注文形態を「らくトラ注文」と称する（「らくトラ」は商標）。）。ただし、この実施の形態において、らくトラ注文を、すべての第二注文（決済注文）のみが発注価格帯内において発注されるように構成してもよいし、第一注文（新規注文）と第二注文（決済注文）との双方が注文価格帯において発注されるように構成してもよい。
【００７５】
そして、第一形態注文入力画面３３には、らくトラ注文の設定に必要な項目が表示される。たとえば、価格ごとのポジションを増減させる価格調整ボタン（「＋」ボタンと「−」ボタン）が表示された注文金額入力欄３３１、発注価格帯の上限価格と下限価格とが数値で表示され、上限価格や下限価格を数値入力で修正可能な発注価格帯入力欄３３２が表示されている。この他に、第一形態注文入力画面３３には、同時に発注される新規注文の注文個数や決済注文の注文個数を入力する注文個数入力欄（図示せず）、及び／又は、新規注文同士の値幅や決済注文同士の値幅を入力する値幅入力欄（図示せず）、ストップロス価格を入力するストップロス価格入力欄（図示せず）が表示される。
【００７６】
ユーザがこれらの入力欄に必要な情報を入力した後、図８に示すように、確認ボタン３２３をタップする（ステップＳ５）。すると、注文内容確認画面が表示される。
【００７７】
［確認画面表示（ステップＳ６）、発注（ステップＳ７）］
図９は、タッチパネル２１に注文内容確認画面３４が表示された状態のイメージ図である。注文内容確認画面３４には、入力され発注が準備されたらくトラ注文の内容が表示される（ステップＳ６）。同図には、それぞれ５つの第一注文（新規注文）と第二注文（決済注文）の発注が準備された状態が示されている。この状態で、ユーザが指１００で発注ボタン３４２をスワイプすると、注文発注装置２から中央管理装置１に発注情報が送信される。中央管理装置が注文の発注を受け付けると、発注が完了する（ステップＳ７）。その結果、タッチパネル２１には状態表示画面が表示される。
【００７８】
図１０は、タッチパネル２１に状態表示画面３５が表示された状態を示すイメージ図である。状態表示画面３５には、発注されたらくトラ注文の現在の状態（それぞれの新規注文や決済注文が発注済で未約定の状態なのか、約定済の状態なのか、など）が表示される。
【００７９】
［価格やポジションの修正］
発注後、注文発注装置２のタッチパネル２１には修正画面（図示せず）を表示させることができる。この修正画面においては、チャート上に、上記ステップＳ１〜Ｓ７の手順で発注したらくトラ注文における、個々の第一注文（新規注文）の価格や第二注文（決済注文）の価格が横線で表示される（即ち、ステップＳ７による発注直後は、チャート上に、それぞれの第一注文の価格を示す横線同士、及び、それぞれの第二注文の価格を示す横線同士が、それぞれ均等な間隔で表示される。ユーザは、タッチパネル２１上で、任意の横線を上方向又は下方向に移動させることで、任意の第一注文の価格や第二注文の価格を個別に修正することもできる。また、タッチパネル２１上の修正画面（図示せず）に個々の第一注文や第二注文のポジションを数値表示し、任意の第一注文の数値や第二注文の数値を個々に修正することで、任意の第一注文のポジションの量や任意の第二注文のポジションの量を修正することもできる。
【００８０】
［第一形態注文（らくトラ注文）の概要］
以下、このように発注された第一形態注文について概説する。
【００８１】
図１１は、注文情報生成部１６によって生成されて注文テーブル１８１に記録された、注文情報群を模式的に示す図である。これらの注文情報群は、上述した、注文発注装置２の発注によって生成されたものである。
【００８２】
図１１に示したように、注文テーブル１８１には、複数のポジション・ペアに対応する注文情報群が記録される。ポジション・ペアの数は、第一形態注文入力画面３３（図８）で注文個数入力欄（図示せず）に入力された注文個数情報の数値、又は、発注価格帯の数値を値幅入力欄（図示せず）に入力された数値で割った値のうちの整数値と同じ個数に等しく設定される。この実施の形態では、トラップ本数（すなわち注文個数）は、「５」に設定される。従って、図１１では、５種類の注文情報群５０Ａ１，５０Ａ２，・・・５０Ａ５が、注文テーブル１８１に記録されている。
【００８３】
１個の注文情報群５０Ａｍは、１個の第一注文５１Ａｍと、１個の第二注文５０Ｂｍと、１個の逆指値注文である第三注文５１Ｃｍとを含む（ｍ＝１，２，・・・，５）。第一注文５１Ａｍは、同じ種類の金融商品を一の同じ価格（第一注文価格）で指値注文又は逆指値注文するための買い注文情報又は売り注文情報である。第二注文５１Ｂｍは、第一注文５１Ａ１の対象となっている金融商品を他の同じ価格（第二注文価格）で指値注文するための売り注文情報又は買い注文情報である。第三注文５１Ｃｍは、これら買い注文情報及び売り注文情報の対象となっている金融商品を更に他の価格で逆指値注文するための情報である。図１１から解るように、これらの注文情報群は、商品の種類及び個数は同じであるが、注文価格が互いに異なる。
【００８４】
注文情報生成部１６は、注文発注装置２から発注された上限価格及び下限価格に基づき、全ての第一注文５１Ａ１〜５１Ａ５及び全ての第二注文５１Ｂ１〜５１Ｂ５の価格を、発注価格帯内（下限価格以上且つ上限価格以下）の価格に設定する。また、「第三注文」としてのストップロス価格をストップロス価格入力欄（図示せず）に入力された値に設定する。
【００８５】
例えば、注文発注装置２において上限価格１１１．８円、下限価格１０７．５円、ストップロス価格１０２．０円として発注された場合、図１１に示すように、注文情報生成部１６は、最も高値の第二注文５１Ｂ１を１ドル当たり１１１．６円に設定し、最も安値の第一注文５１Ａ５を１ドル当たり１０７．５円に設定し、第三注文５１Ｃ１〜５１Ｃ５を１０２．０円に設定する。この場合、注文情報生成部１６は、第一注文１Ａ１〜５１Ａ５のみが発注価格帯内の値となる（即ち、第二注文５１Ｂ１〜５１Ｂ５は注文価格帯内の値でなくてもよい）ように設定されている。ただし、第二注文５１Ｂ１〜５１Ｂ５のみが発注価格帯内の値となるように設定されてもよく、い。本実施形態では、最も高い設定価格が上限価格と、最も低い設定価格が下限価格と、それぞれ一致している必要はない。ただし、全ての第一注文５１Ａ１〜５１Ａ５のうち最高値のものや最安値のものが上限価格や下限価格に等しく設定されてもよい。また、全ての第二注文５１Ｂ１〜５１Ｂ５のうち最高値のものや最安値のものが上限価格や下限価格に等しく設定されてもよい。
【００８６】
注文情報生成部１６は、注文発注装置２から送信された、発注価格帯の値を注文個数入力欄（図示せず）に入力された値で割った値や、値幅入力欄（図示せず）に入力された値に基づいて、下限価格である１ドル当たり１０７．５円を基準として、全ての注文情報群５０Ａ１，５０Ａ２，・・・５０Ａ５の、全ての第一注文５１Ａ１，・・・，５１Ａ５及び全ての第二注文５１Ｂ１，・・・，５１Ｂ５の注文価格１８１Ｇを設定する。
【００８７】
図１１に示すように、第一注文５１Ａ１〜５１Ａ５、第二注文５１Ｂ１〜５１Ｂ５及び第三注文Ｃ１〜５１Ｃ５には、属性情報１８１ｂ，・・・，１８１ｏ２が付加される。これら属性情報１８１ｂ〜１８１ｏ２のうち、注文番号１８１ｂは、注文の通し番号である。顧客番号１８１ｃは、顧客毎に付される番号である。通貨ペア情報１８１ｅは、売買の対象となる通貨の組合せ（例えば、日本円と外貨の組合せ）を識別するための情報である。注文金額情報１８１ｆは、一つの注文に対応する外貨の持高、すなわちポジションの大きさを示す情報である。売買情報１８１ｇは、「売り注文」と「買い注文」の区別を識別するためのフラグ情報である。注文価格情報１８１ｈは、約定価格の情報である。注文種別情報１８１ｎは、注文の種別（例えば、「成行注文」「イフダン注文」「トラップリピートイフダン注文」等の種別）を識別するためのフラグ情報である。新規／決済情報１８１ｍは、新規注文／決済注文の区別を識別するフラグ情報である。有効／無効情報１８１ｏ１は、対応する指値注文又は逆指値注文の有効（すなわち、発注済で未約定の状態）／無効（すなわち、未発注の状態）を識別するためのフラグ情報である。順位情報１８１ｋは、注文情報の優先順位（後述）を識別するためのフラグ情報である。状態情報１８１ｏ２は、対応する注文の状態例えば約定されたか否か等を識別するためのフラグ情報である。これらの属性情報１８１ｂ〜１８１ｏ２の値は、入力画面４０から入力された情報に基づいて決定され、上述のフィールド定義に基づいて注文テーブル１８１に記録される。
【００８８】
図１１において、新規／決済情報１８１ｍは、初期設定では、第一注文５１Ａ１〜５１Ａ５については「新規」に設定され、第二注文５１Ｂ１〜５１Ｂ５及び第三注文Ｃ１〜５１Ｃ５については「決済」に設定される。順位情報１８１ｋは、第一注文５１Ａ１〜５１Ａ５は第一順位（すなわち、発注と約定の順序の早い方）に設定され、第二注文５１Ｂ１〜５１Ｂ５及び第三注文Ｃ１〜５１Ｃ５は第二順位（すなわち、発注と約定の順序の遅い方）に設定される。また、有効／無効情報１８１ｏ１は、初期設定では、「無効」すなわち注文が未発注の状態に設定される。
【００８９】
各注文情報の有効／無効は取引中に変化し、そのたびに、注文情報生成部１６は、注文情報の有効／無効の区別を、注文テーブル１８１に再書き込みする。この結果、注文テーブル１８１に書き込まれたデータはイフ・ダン注文の状態に応じ、注文が未発注の状態である「無効」、注文が発注済で未約定の状態である「有効」、注文が約定済の状態である「決済」、他の注文の約定に伴って取り消された状態である「取消」に変更され、各注文情報の注文の状態を管理する情報として機能する。
【００９０】
注文発注装置２から注文が発注され、中央管理装置１が発注された注文の受けつけを完了させた後、中央管理装置１の価格情報受信部１９は、定期的に（例えば１分毎或いは１時間毎等の所定周期で）、為替相場の情報を取得し続ける。そして、相場価格と特定の注文情報の注文価格とが一致すると、約定情報生成部１４が当該注文情報に基づく注文を約定させる。
【００９１】
図１２Ａ及び図１２Ｂは、中央管理装置１がらくトラ注文に基づく指値注文を処理する手順を示すフローチャートである。図１３は、中央管理装置１がらくトラ注文に基づく指値注文の約定処理を行う際の手順を示す概念図である。図１３において、丸印は一つの注文情報を示す。以下、これらの図を参照しながら、らくトラ注文の処理手順を説明する。
【００９２】
注文発注装置２からの注文の受け付け処理を完了した後も、中央管理装置１の価格情報受信部１９は、為替相場の情報取得を継続する。
【００９３】
トラップリピートイフダン注文による指値注文の受け付け処理が完了した時点ｔ１に、約定情報生成部１４は、一巡目の注文（すなわち、図１１において、注文番号１８１ｂが１０００〜１０１４の注文）のうち、第一注文５１Ａ１〜５１Ａ５に関する有効／無効情報１８１ｏ１の値を、それぞれ“無効”から“有効”に変更する。これにより、第一注文５１Ａ１〜５１Ａ５の買い指値注文が、発注される。図１３に示す場合は、一巡目の第一注文５１Ａ１〜５１Ａ５（買い指値注文）の注文価格が受け付け時の成行相場価格（１０７．００円）以上なので、同図に示す通り、これら一巡目の第一注文５１Ａ１〜５１Ａ５は逆指値注文となっている。もし、一巡目の第一注文の価格が受け付け時の成行相場価格よりも低い場合は、これらは指値注文となる。
【００９４】
このとき、二巡目の注文（すなわち、注文番号１８１ｂが１０１５以降の注文、図示せず）に関しては、有効／無効情報１８１ｏ１が“無効”に設定された状態に維持される。加えて、一巡目の注文のうち、第二注文５１Ｂ１〜５１Ｂ５及び第三注文Ｃ１〜５１Ｃ５についても、有効／無効情報１８１ｏ１が“無効”に設定された状態に維持される。
【００９５】
図１３の例では、時点ｔ１において、米国ドルの相場購入価格７１が、１ドル当たり１０７．００円である。米国ドルの相場価格が徐々に上昇して１ドル当たり１０７．５０円になったとき（図１２ＡのステップＳ２１参照）。このとき、約定情報生成部１４は、この第一注文５１Ａ５を約定させるための処理を行う（図１３のステップＳ２２参照）。
【００９６】
具体的には、第一注文５１Ａ５に基づく注文が約定すると、約定情報生成部１４は、第一注文５１Ａ５に対応する状態情報１８１ｏ２を、未約定を示す“無”から約定済を示す“有”に変更する（図１１参照）。後述の各約定処理においても、中央管理装置１は、同様の処理を行う。
【００９７】
なお、第二番目以降に発注される買い注文は、注文価格１８１Ｇが、その直前に約定される売り注文すなわち第二注文５１Ｂ５の注文価格１８１Ｇよりも安く、したがって、新規の指値注文である。図１３に示された他の第一注文５１Ａ１〜５１Ａ４においても、同様である。
【００９８】
さらに、第一注文５１Ａ５が約定したとき、約定情報生成部１４は、図１１に示す、第二注文５１Ｂ５及び第三注文Ｃ５の有効／無効情報１８１ｏ１を、無効から有効に変更する（図１２ＡのステップＳ２３参照）。
【００９９】
その後、米国ドルの相場購入価格７１が、第三注文Ｃ５の価格まで下降すると（ステップＳ２４の“Ｙｅｓ”）、第三注文Ｃ５の約定処理が行われる（図１２ＢのステップＳ３２〜ステップＳ３４参照）。上述のように、この実施の形態で、第三注文Ｃ５の価格は、１ドル当たり１０２．０円である。一方、米国ドルの相場販売価格が、第三注文Ｃ５の価格まで下降すること無しに、第二注文５１Ｂ５の価格まで上昇すると（ステップＳ２５の“Ｙｅｓ”及び図１３の時刻ｔ２２参照）、約定情報生成部１４は、この第二注文５１Ｂ５に対応する指値注文を約定させる（図１２ＡのステップＳ２６参照）。この実施の形態では、このときの約定価格は、１ドル当たり１０８．００円である。この約定処理では、第二注文５１Ｂ５に対応する状態情報１８１ｏ２を“無”から“有”に変更する（図９（ｃ）参照）とともに、第三注文Ｃ５を取り消す処理を行う（ステップＳ２６）。さらに、予め規定された額の証拠金の存在が確認されたのち（図１２ＡのステップＳ２８〜ステップＳ２９の“Ｙｅｓ”参照）の後、約定情報生成部１４は、注文テーブル１８１の、二巡目に対応する注文情報群の中から、５番目の注文情報群５０Ａ５（図示せず）を選択する（図１２ＡのステップＳ３０参照）。そして、約定情報生成部１４は、選択された注文情報群５０Ａ５の第一注文５１Ａ５の有効／無効情報１８１ｏ１を、“無効”から“有効”に変更する（図１２ＡのステップＳ３１参照）。そして、中央管理装置１は、選択された注文情報群５０Ａ５についてもステップＳ２１に戻って処理を繰り返す。
【０１００】
なお、図１２ＡのステップＳ２５において、相場購入価格７１が第二注文５１ｃの価格よりも低い場合に、処理がステップＳ２４に戻ることとすれば、相場購入価格７１と逆指値注文の価格との比較を繰り返し行うことができる。
【０１０１】
図１３において、相場購入価格７１が第一注文５１Ａ１〜５１Ａ３の価格と等しくなったときの処理も、上述の注文情報群５０Ａ５の場合と同様である。
【０１０２】
［発注状態、取引状態の表示］
上述の、らくトラ注文の取引状態は、注文発注装置２において、図１０に示す状態表示画面３５に表示される。これにより、ユーザは取引状態を逐次確認することができる。
【０１０３】
また、ユーザは、他の表示画面で発注状態や取引状態を確認することもできる。
【０１０４】
図１４は、タッチパネル２１に発注状態表示画面３６が表示された状態を示すイメージ図である。同図に示す発注状態表示画面３６には、発注された指値注文の、発注価格帯ごとの金額表示３６１がチャート上に表示されている。この金額表示は、価格ごとに発注された金額の多少に基づいて、チャート上の発注価格帯ごとに、ひとつの色の複数段階たとえば４段階の濃淡表示で表示される。これにより、ユーザは発注状態を視覚的直観的に把握できる。なお、発注状態表示画面において、発注された金額の多少に基づいて、複数の異なる色（例えば赤、橙、黄、緑）で表示する構成としてもよい。
【０１０５】
図１５は、タッチパネル２１に成立履歴表示画面３７が表示された状態を示すイメージ図である。同図に示す成立履歴表示画面３７においては、成立（つまり約定）した注文がチャート上の約定した時点、約定した価格の位置にマル印で表示されている。この金額表示は、成立した注文の金額の多少に基づいて、発注価格帯ごとに、複数段階たとえば４段階の大きさのマル印で表示される。これにより、ユーザは発注状態を視覚的直観的に把握できる。なお、成立履歴表示画面３７において、成立した成立した注文の金額の多少を、異なる形状の記号（例えば丸、三角、四角、星形、など）で表示する構成としてもよい。
【０１０６】
なお、発注状態表示画面３６で表示される発注金額、成立履歴表示画面３７で表示される成立金額は、ユーザ自身の発注した注文に基づく発注金額や成立金額でもよいし、中央管理装置１を用いて取引を行う全部又は一部のユーザ群の発注した注文に基づく発注金額や成立金額であってもよい。
【０１０７】
また、成立履歴表示画面３７を、上記の発注状態表示画面３６と同様に、チャート上の発注価格帯ごとの濃淡表示で成立金額を表示する構成としてもよい。さらに、発注状態表示画面３６を、上記の成立履歴表示画面３７と同様に、チャート上のマル印で発注金額を表示する構成としてもよい。
【０１０８】
さらにまた、発注状態表示画面３６に表示される濃淡や色彩の変化、成立履歴表示画面３７で表示される記号の大きさや形状の変化が、ポジションの数の多少によってもたらされる構成であってもよい。加えて、それらの変化が注文または成立した金額の量及びポジションの量との双方によってもたらされるものであってもよい。
【０１０９】
図７は、タッチパネル２１のチャート表示画面３２に上限価格調整部３２６ａ、下限価格調整部３２６ｂ、第一形態注文発注ボタン３２７、第二形態注文発注ボタン３２８が表示された状態を示すイメージ図である。同図に示す通り、上限価格調整部３２６ａ、下限価格調整部３２６ｂには、それぞれ価格調整ボタン（「＋」が表示された価格上昇ボタンと「−」が表示された価格下降ボタン）が表示され、それらのボタンをタップすることで上限価格と下限価格とを調整する。
【０１１０】
［第二形態注文（ダブルリピートイフダン注文）の発注手順］
一方、第二形態注文においても、図４のフローチャートに示す手順に基づいて処理が行われる。具体的には、上述のステップＳ１〜Ｓ３の手順の後、ステップＳ４において、図７に示すチャート表示画面３２の第二形態注文発注ボタン３２８をタップすると、タッチパネル２１に第二形態注文入力画面が表示される。
【０１１１】
図１６は、タッチパネル２１に第二形態注文入力画面３８が表示された状態のイメージ図である。
【０１１２】
第二形態注文においては、一対の注文によってイフダン注文を発注することが繰り返されるが、そのイフダン注文の一方の注文（第一注文）と他方の価格の注文（第二注文）について、先のイフダン注文の約定の順序と、あとのイフダン注文の約定の順序とが常に逆になるように行われる（以下、この注文形態を「ダブルリピートイフダン注文」と称する。）。この実施の形態においては、ダブルリピートイフダン注文の全ての第一注文と第二注文とが発注価格帯内において発注される。
【０１１３】
第二形態注文入力画面３８には、ダブルリピートイフダン注文の設定に必要な項目が表示される。たとえば、価格ごとのポジションを増減させる価格調整ボタン（「＋」ボタンと「−」ボタン）が表示された注文金額入力欄３８１、高価格側のストップロス価格を入力する高価格側ストップロス価格入力欄３８２が表示されている。この他に、第一形態注文入力画面３３には、イフダン注文の回数を入力する回数入力欄（図示せず）や、低価格側のストップロス価格を入力する低価格側ストップロス価格入力欄（図示せず）が表示される。
【０１１４】
ユーザがこれらの入力欄に必要な情報を入力した後、確認ボタン３８３をタップすると（ステップＳ５）、図９に示す注文内容確認画面３４と同様の注文内容確認画面（図示せず）が表示され（ステップＳ６）、発注ボタン（図示せず）がスワイプされると（ステップＳ７）、タッチパネル上には状態表示画面（図示せず）が表示され、注文の発注が完了する。
【０１１５】
このような形態の注文により、それぞれ均等な価格差で複数発注した第一注文と第二注文に基づくイフダン注文を繰り返し行うことができるので、ユーザに対し、リスク回避をしつつイフダン注文による指値注文の取り引きを容易に行わせる装置を提供できる。
【０１１６】
［価格やポジションの修正］
第二形態注文においても、第一形態注文の場合と同様、発注後、注文発注装置２のタッチパネル２１は修正画面（図示せず）を表示させ、第一注文や第二注文の価格やポジションの量を修正することができる。
【０１１７】
［第二形態注文（ダブルリピートイフダン注文）の概要］
以下、このように発注された第二形態注文について概説する。
【０１１８】
注文発注装置２による発注を中央管理装置１が受け付け完了すると、注文情報生成部１６はまず最初の二つの注文情報群（以下それぞれ「第一の注文情報群」「第二の注文情報群」と称する。）を生成する。
【０１１９】
図１７は、注文情報群、及びそれを構成する注文情報を模式的に示す図である。同図に示すように、第一注文５１Ｄ，５１Ｈ、第二注文５１Ｅ，５１Ｊ、第三注文５１Ｆ、第四注文５１Ｋが構成される。第一注文５１Ｄ、第二注文５１Ｅ、第三注文５１Ｆは第一の注文情報群５０Ｂを構成し、第一注文５１Ｈ、第二注文５１Ｊ、第四注文５１Ｋは第二の注文情報群５０Ｃを構成する。
【０１２０】
図１７に示す通り、それぞれの第一注文５１Ｄ，５１Ｈは、同一種類の金融商品を、一の価格（下方側注文価格）について買いの指値注文をするための情報として構成されている。それぞれの第二注文５１Ｅ，５１Ｊは、同一種類の金融商品を、他の価格（上方側注文価格）について売りの指値注文をするための情報として形成されている。第三注文５１Ｆは、第一注文５１Ｄ，５１Ｈ及び第二注文５１Ｅ，５１Ｊよりも低価格側の第一ストップロス価格について売りの逆指値注文（ストップロス注文）をするための情報として構成されている。第四注文５１Ｋは、第一注文５１Ｄ，５１Ｈ及び第二注文５１Ｅ，５１Ｊよりも高価格側の第二ストップロス価格について買いの逆指値注文（ストップロス注文）をするための情報として構成されている。
【０１２１】
［売買情報の設定］
注文情報の生成に際し、注文情報生成部１６は、各注文情報５１Ａ〜５１Ｅの売買情報１８１ｇを設定する。この実施の形態においては、注文情報生成部１６は、第一注文５１Ｄ，５１Ｈ、及び第四注文５１Ｋにおける、売買種類を決めるための売買情報１８１ｇを「買い」、第二注文５１Ｅ，５１Ｊ、及び第三注文５１Ｆの売買情報１８１ｇを「売り」として設定する。
【０１２２】
［指値注文、逆指値注文の設定］
注文情報の生成に際し、注文情報生成部１６は、各注文情報５１Ａ〜５１Ｅの注文条件情報１８１ｊに指値注文、逆指値注文の何れかを示す情報を設定する。この実施の形態においては、入力画面４０の下方側注文価格入力欄４４ａ及び上方側注文価格入力欄４４ｂに入力された価格（つまり下方側注文価格及び上方側注文価格）と生成時の相場価格（以下「成行注文価格」と称する。）との対比とに基づいてそれぞれ設定される。
【０１２３】
［指値注文の約定処理（第一の約定手順）］
図１８は、この実施の形態の金融商品取引システム１Ａにおける、第二形態注文の処理手順を示すフローチャートである。以下、同図に基づいて手順を説明する。
【０１２４】
注文情報生成部１６は、第一の注文情報群５０Ｂを構成する第一注文５１Ｄ、第二注文５１Ｅ、第三注文５１Ｆと、第二の注文情報群５０Ｃを構成する第一注文５１Ｈ，第二注文５１Ｊ、第四注文５１Ｋとの発注処理を行う（ステップＳ４１）。発注処理において、各注文情報群５０Ｂ，５０Ｃを構成する第一注文５１Ｄ，５１Ｈの状態情報１８１ｏ２を未発注の注文を示す「待機中（フラグ“１”）」から発注済で未約定の注文を示す「注文中」に変更することを言う。中央管理装置１は、状態情報１８１ｏ２が「待機中（フラグ“１”）」の注文（例えば図１８の（ａ）に示す第二注文５１Ｊ）を生成後発注処理前の指値注文として、状態情報１８１ｏ２が「注文中（＝フラグ“０”）」の注文（例えば図１８の（ａ）に示す第一注文５１Ｈ）を発注処理後の指値注文として処理を行う。
【０１２５】
図１８の（ａ）に示す通り、ステップＳ２１の手順が完了した状態で、新規・決済情報１８１ｍが「新規（フラグ“−１”）」を示す、第一の注文情報群５０Ｂの第一注文５１Ｄ及び第二の注文情報群５０Ｃの第二注文５１Ｅは、状態情報１８１ｏ２が「注文中」である。一方、新規・決済情報１８１ｍが「決済（フラグ“１”）」を示す、その他の注文５１Ｂ，５１Ｃ，５１Ｄ，５１Ｆは状態情報１８１ｏ２が「待機中」である。
【０１２６】
この状態で、中央管理装置１の価格情報受信部１９は為替相場の情報取得を継続する。そして、相場価格が第四注文価格以上（又は第三注文価格以下）にならず（ステップＳ４２の“Ｎｏ”）、上方側注文価格以上（又は下方側注文価格以下）と等しくなったとき（ステップＳ４３の“Ｙｅｓ”）、約定情報生成部１４が当該第二注文（又は第一注文）の約定処理を行う（ステップＳ４４）。ここで「約定処理」とは、任意の注文の状態情報１８１ｏ２を「注文中」から「成立済（フラグ“−１”）」に変更し、当該任意の金融商品の売買処理を行うことを言う。また、金融商品の取引上においてこの「約定処理」は、イフダン注文において、発注された第一順位の新規注文が約定して成立したものとして扱われる。
【０１２７】
図１９は、この実施の形態の金融商品取引システム１Ａにおける、第二形態注文による発注を模式的に表したタイムチャートである。例えば、同図に示す通り、イフダン注文によって注文が生成（ステップＳ８）、発注（ステップＳ２１）された時点ｔ１での米国ドルの相場購入価格が１ドル８５．００円であったとする。
【０１２８】
注文が発注された後に米国ドルの相場価格が上昇し、相場購入価格７１が１ドル９０．００円になった時点ｔ２において（ステップＳ２３の“Ｙｅｓ”）、約定情報生成部１４は第二注文５１Ｅを約定させる処理を行う（ステップＳ２４）。
【０１２９】
時点ｔ２’（事実上は時点ｔ２と同時）において、注文情報生成部１６は、同一注文情報群の第一注文と第二注文（例えば第二の注文情報群５０Ｃの第一注文５１Ｄと第二注文５１Ｅ）が双方共約定処理済でない場合（ステップＳ２５の“Ｎｏ”）、注文情報生成部１６は、約定した注文と同じ注文情報群を構成する第一（又は第二）注文、及び第四（又は第三）注文の発注処理を行う（ステップＳ４７）。即ち、図８の（ｂ）に示す通り、第二の注文情報群５０Ｃの第一注文５１Ｄの状態情報１８１ｏ２を「待機中」から「注文中」に変更する（ステップＳ４７）。これにより、第二の注文情報群５０Ｃに基づくイフダン注文において第二順位の注文が有効になったものとして扱われる。
【０１３０】
なお、同一の注文情報群を構成する第一注文及び第二注文のうち一方が約定処理されたのち他方が発注処理される際、その注文情報群を形成する第三注文５１Ｆ又は第四注文５１Ｋの状態情報１８１ｏ２も「待機中」から「注文中」に変更される（ステップＳ４７）。即ち、図１０の時点ｔ２’において第二の注文情報群５０Ｃの第一注文５１Ｄが発注処理される際、図８の（ｂ）に示す通り、第二の注文情報群５０Ｃの第四注文５１Ｋの状態情報１８１ｏ２は「待機中」から「注文中」に変更される。これにより、ポジションが取得された注文をストップロス注文により約定させることが可能になる。
【０１３１】
この後、ステップＳ４２以降の処理に戻る。相場価格が第四注文価格以上（又は第三注文価格以下）にならず（ステップＳ４２の“Ｎｏ”）、下方側注文価格と等しくなったとき（ステップＳ４３の“Ｙｅｓ”）、約定情報生成部１４が当該第一注文の約定処理を行う（ステップＳ２４）。
【０１３２】
例えば、図１９に示すように、時点ｔ２’以降米国ドルの相場購入価格が下落し、時点ｔ３において米国ドルの相場購入価格７１が１ドル８０．００円になると、約定情報生成部１４は第一注文５１Ｄ，５１Ｈに基づく指値注文を約定させる処理を行う。これにより、第二の注文情報群５０Ｃに基づくイフダン注文において第二順位の注文が成立したものとして扱われる。また、第一の注文情報群５０Ｂに基づくイフダン注文において第一順位の注文が成立したものとして扱われる。
【０１３３】
同時に、約定情報生成部１４は第四注文５１Ｋをキャンセル処理する。ここで「キャンセル処理」とは、任意の注文の状態情報１８１ｏ２を「待機中」又は「注文中」から「無効（フラグ“２”）」に変更することを言い、金融商品の取引上は、指値注文を約定させずにキャンセルするものとして扱われる。
【０１３４】
即ち、図８の（ｂ）に示すように、第一注文５１Ｄ，５１Ｈの状態情報１８１ｏ２を「注文中」の状態から「成立済」の状態に、第四注文５１Ｋの状態情報１８１ｏ２を「注文中」の状態から「無効」の状態に変換する。そして、フロントページ配信部１１は、図９の（ｃ１）に示す通り、表示画面４７において、第一注文５１Ｄ，５１Ｈが約定処理され、第四注文５１Ｋが無効になったことを表示させる。
【０１３５】
そして、約定情報生成部１４は、データベース１８中の第一注文５１Ｄ，５１Ｈと第二注文５１Ｅに対応するデータを書き換える。
【０１３６】
注文情報生成部１６は、一の注文情報群を構成する各注文のうち、第一注文と第二注文の状態情報が「成立済」になった場合（ステップＳ２５の“Ｙｅｓ”）、新たな注文情報群の注文の発注処理を行う（ステップＳ２６）。この実施の形態では、図１０の時点ｔ３’に示す通り、新たな第二の注文情報群５０Ｃの第一注文５１Ｄ、第二注文５１Ｅ、第四注文５１Ｋの発注処理を行う。なお、ステップＳ２６の手順の具体的内容は後述する。
【０１３７】
更に、注文情報生成部１６は、他方の注文情報群の第一（又は第二）注文、第三（又は第四）注文の発注処理を行う（ステップＳ４７）。この実施の形態では、図１９の時点ｔ３’において、第一の注文情報群５０Ｂの第二注文５１Ｅの発注処理を行う。これにより、第一の注文情報群５０Ｂに基づくイフダン注文において第二順位の注文が有効になったものとして扱われる。そして、再びステップＳ４２以降の処理に戻る。
【０１３８】
即ち、この実施の形態においては、下方側注文価格、及び上方側注文価格において約定処理される際に、二つの注文の約定処理が行われる（例えば、図１０の時点ｔ２においては第二注文５１Ｅ，５１Ｂ、時点ｔ３においては第一注文５１Ｄ，５１Ａ）。そのため、相場価格が下方側注文価格、上方側注文価格に到達する度に一つの指値注文が約定する形式でイフダン注文が行われる場合に比べ、ユーザは短期間で多くの収益をあげることができる。
【０１３９】
なお、金融商品の相場価格が第四注文価格以上（又は第三注文価格以下）になった場合（ステップＳ４２の“Ｙｅｓ”）、約定情報生成部１４は第四注文５１Ｋ（又は第三注文５１Ｆ）の約定処理を行うと共に、未約定の注文を全てキャンセル処理する（ステップＳ２８）。
【０１４０】
なお、この実施の形態においては、相場価格が大きく下落し、金融商品の相場価格が第三注文価格（１ドル７０．００円）以下になった場合も、約定情報生成部１４は上記と同様のキャンセル処理を行う。
【０１４１】
ステップＳ４８の処理の後、中央管理装置１は当該注文に基づく約定処理を全て終了する。
【０１４２】
これらの発注や処理の結果は、注文発注装置２のタッチパネル２１に逐次表示されるので、ユーザは取引を確認できる。
【０１４３】
このような構成としたことにより、ユーザは約定する際に一の注文だけが約定される場合よりも高い収益を得ることができる。これにより、ユーザに対し、煩雑な注文手続を行わせることなく、リスクを回避しつつ収益機会を十分に活用して合理的な取引を行わせる装置を提供できる。
【０１４４】
［ログオフ後再ログインまでに約定した注文の画面表示］
なお、第一形態注文、第二形態注文のいずれにおいても、金融商品の発注を行ったユーザが注文発注装置２をログオフした後、再度中央管理装置１にログインするまでの間に約定した注文の個数を、ログイン後に表示されるメニュー画面上等にグラフィック表示させることができる。これにより、ユーザは未確認の間に約定した注文の数を迅速に確認できるので、ユーザの利便性を高めることができる。
【０１４５】
［その他の取引］
本件金融商品取引システム１Ａにおいては、上記形態の取引に加え、発注価格帯において、同時に複数の指値注文を均等な価格差で、価格ごとに等しいポジションで発注する形態の取引（以下「トラップトレード」と称する。）や、第一注文と第二注文とが任意の価格で設定されたイフダン注文を繰り返し行う形態の取引（以下「リピートイフダン注文」と称する）を、注文発注装置２からの発注によって行うことができる。また、本件金融商品取引システム１Ａにおいては、イフダン注文の第一注文と複数の第二注文とを、トラップトレードの場合と同様に均等な価格差で、価格ごとに等しいポジションで、それぞれ複数発注する形態の取引（以下「トラップイフダン注文」と称する）や、通常のイフダン注文全般を、注文発注装置２からの発注によって行うことができる。これにより、指値注文の利便性を高めることができる。
【０１４６】
以上示した通り、この実施の形態においては、注文発注装置２のタッチパネル２１は、チャートが表示されたタッチパネル２１に外部からユーザの指１００が接触したときに、注文発注部２５に対し、指１００が接触した箇所に対応して表示された価格に関する価格情報を取得させることにより、ユーザに対し、タッチパネル２１に表示されたチャートにおける任意の価格上に１００指などを接触させることで、指値注文を行う上限価格と下限価格を感覚的に特定することができる。また、タッチパネル２１、ユーザの指１００がタッチパネル２１からそれぞれ離間したときに、注文発注部２５に対し、上限価格及び下限価格とを設定させると共に、注文発注部２５に対し、上限価格と下限価格との間に形成された発注価格帯において注文情報を発注させることにより、ユーザに対し、特定された上限価格と下限価格との間に形成された発注価格帯に、複数の注文情報を自動的に発注させることができる。これにより、金融商品の指値注文において、システムを利用するユーザが煩雑な入力作業を行うことなく、複数の指値注文を簡易な操作で発注できて、ユーザに利便性の高い指値注文を行わせることができる。
【０１４７】
この実施の形態においては、発注された注文情報の価格毎のポジションの大きさに応じて視覚態様を変化させて表示させることにより、ユーザに対し、価格毎のポジションを視覚的感覚的に容易に把握させることができ、指値注文を行うユーザの利便性を一層高めることができる。
【０１４８】
この実施の形態においては、注文情報の価格毎のポジションの大きさを色の濃度によって表示できるので、ユーザに対し、価格毎のポジションを視覚的感覚的に容易に把握させることができ、指値注文を行うユーザの利便性を一層高めることができる。
【０１４９】
この実施の形態においては、注文情報の価格毎のポジションの大きさを記号の形状及び大きさのうち少なくとも一方によって表示できるので、ユーザに対し、価格毎のポジションを視覚的感覚的に容易に把握させることができ、指値注文を行うユーザの利便性を一層高めることができる。
【０１５０】
この実施の形態においては、発注後未約定の指値注文と発注後約定済の指値注文とを色及び形状のうち少なくともいずれか一方によって表示できるので、ユーザに対し、未約定の指値注文と約定済の指値注文とを視覚的感覚的に容易に把握させることができ、指値注文を行うユーザの利便性を一層高めることができる。
【０１５１】
この実施の形態においては、タッチパネルを備えた機器において、指値注文を行うユーザの利便性を一層高めることができる。
【０１５２】
なお、上記実施の形態は、以下に示す（変形例１）乃至（変形例６）のように実施することもできる。
【０１５３】
（変形例１）
上記実施の形態においては、タッチパネル２１のチャート表示画面３２上にチャートが表示された状態において、チャート上の２箇所をタッチすることで上限価格と下限価格を設定する構成としたが、これに限らず、注文発注装置２に上限価格と下限価格との数値、又は、上限価格及び下限価格のうち何れか一方と値幅との数値を入力し、この数値に基づいてチャート表示画面３２上に発注価格帯を表示させ、この発注価格帯内において複数の指値注文を発注する構成としてもよい。
【０１５４】
（変形例２）
上記実施の形態においては、第一注文５１Ｄ，５１Ｈと第二注文５１Ｅ，５１Ｊの約定処理の繰り返しを事実上無制限に行える構成としたが、入力画面４０にリピート回数選択欄を設け、リピート回数選択欄に入力された回数分、イフダン注文を繰り返す構成としてもよい。この場合、各注文情報５１Ａ〜５１Ｆが、繰り返し回数を記録する情報を備える構成となる。
【０１５５】
（変形例３）
上記実施の形態においては、更に、タッチパネル２１にトレール幅情報入力欄を表示すると共に、中央管理装置１において、第一注文５１Ｄ，５１Ｈ及び第二注文５１Ｅ，５１Ｊの属性情報としてトレール幅情報を設け、相場価格がトレール幅情報以上に上昇又は下落した際に、各注文情報５１Ａ〜５１Ｆの注文価格情報１８１ｈをトレール幅情報の価格分上昇又は下落させる構成としてもよい。
【０１５６】
（変形例４）
上記実施の形態においては、全ての注文を指値注文とする構成に替えて、イフダン注文（前述のリピートイフダン注文やダブルリピートイフダン注文を含む）の最初の第一注文を、第一注文を注文情報生成時の成行注文価格と同じ価格として設定し、上方側注文価格を入力画面から入力された情報（例えば上方側注文価格欄に入力された価格や、利益額入力欄に入力された一回のイフダン注文ごとの利益額）に基づいて設定し、イフダン注文による指値注文が行われる構成としてもよい。
【０１５７】
（変形例５）
上記実施の形態においては、成行注文価格が下方側注文価格よりも上であると共に上方側注文価格よりも下である場合、第一注文５１Ｄ，５１Ｈ、及び第二注文５１Ｅ，５１Ｊの注文条件情報１８１ｊは「指値」として設定され、（設定条件４）において、注文情報の生成時、成行注文価格が下方側注文価格又は上方側注文価格と等しい場合、各注文情報５１Ａ，５１Ｂ，５１Ｃ，５１Ｄ，５１Ｅ，５１Ｆの生成はキャンセルされる構成とした。しかし、この構成に代えて、（設定条件１）において、成行注文価格が下方側注文価格以上であると共に上方側注文価格以下である場合、第一注文５１Ｄ，５１Ｈ、及び第二注文５１Ｅ，５１Ｊの注文条件情報１８１ｊは「指値」として設定され、（設定条件４）が存在しない構成としてもよい。具体的には、例えば成行注文価格が下方側注文価格と等しい場合、注文情報生成部１６は、第一注文５１Ｄの注文条件情報１８１ｊを成行注文である「成行」として設定し、第一注文５１Ｄ、第二注文５１Ｅ，５１Ｊの注文条件情報１８１ｊを「指値」として、第三注文５１Ｆ、第四注文５１Ｋを「逆指値」として設定する構成が考えられる。
【０１５８】
（変形例６）
上記実施の形態及び各変形例の金融商品取引システム１Ａは、金融商品として外国為替を取扱うものとしたが、これに限定されず、他の金融商品、例えば株式、債券を取扱う金融商品取引システムにおいても本発明を適用できる。
【０１５９】
上記実施の形態及び各変形例は本発明の例示であり、本発明が上記実施の形態及び変形例に限定されることを意味するものではないことは、いうまでもない。
【符号の説明】
【０１６０】
１Ａ・・・金融商品取引システム
１・・・中央管理装置
２，２１〜２ｎ・・・注文発注装置
１４・・・約定情報生成部（約定情報生成手段）
１６・・・注文情報生成部（注文情報生成手段）
１９・・・価格情報受信部（相場情報取得手段）
２１，２１１〜２１ｎ・・・タッチパネル
２２，２２１〜２２ｎ・・・表示部（表示手段）
２３，２３１〜２３ｎ・・・操作部（操作手段）
２４，２４１〜２４ｎ・・・価格帯特定手段（価格帯特定部）
２５，２５１〜２５ｎ・・・注文発注部（注文発注部）
２６，２６１〜２６ｎ・・・表示態様管理部（表示態様管理手段）
５０Ａ１，・・・５０Ａ５，５０Ｂ，５０Ｃ，５０Ｄ，５０Ｅ，５０Ｆ・・・注文情報群
５１Ａ１，・・・５１Ａｍ，５１Ｄ，５１Ｈ・・・第一注文
５０Ｂ１，・・・５１Ｂｍ，５１Ｅ，５１Ｊ・・・第二注文
５１Ｃ１，・・・５１Ｃｍ，５１Ｆ・・・第三注文
【図１】
0005890242.tif 000002
【図２】
0005890242.tif 000003
【図３】
0005890242.tif 000004
【図４】
0005890242.tif 000005
【図１１】
0005890242.tif 000006
【図１２Ａ】
0005890242.tif 000007
【図１２Ｂ】
0005890242.tif 000008
【図１３】
0005890242.tif 000009
【図１８】
0005890242.tif 000010
【図１９】
0005890242.tif 000011
【図５】
0005890242.tif 000012
【図６】
0005890242.tif 000013
【図７】
0005890242.tif 000014
【図８】
0005890242.tif 000015
【図９】
0005890242.tif 000016
【図１０】
0005890242.tif 000017
【図１４】
0005890242.tif 000018
【図１５】
0005890242.tif 000019
【図１６】
0005890242.tif 000020
【図１７】
0005890242.tif 000021